【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
一体型モニタおよびディスプレイユニットにおいて、
筐体、
前記筐体内に配置された無線周波数（ＲＦ）レシーバであって、トランスミッタから、経皮分析物センサにより生成された分析物信号に関連するデータを受信するように構成されたレシーバ、
前記筐体に連結され、生体外分析物センサを収容するように構成された分析物センサポートであって、前記生体外分析物センサが、流体サンプルから分析物信号を発生するものである分析物センサポート、および
前記筐体内に配置されたプロセッサであって、前記生体外分析物センサからの前記分析物信号に少なくともある程度基づいて前記経皮分析物センサからの分析物信号に関連するデータを検証するように構成されたプロセッサ、
を備え、
前記分析物センサポートでの前記生体外分析物センサの検出の際に非アクティブモードからアクティブモードに移行するように構成されていることを特徴とする一体型モニタおよびディスプレイユニット。
【請求項２】
前記分析物センサポートでの前記生体外分析物センサの検出の際に非アクティブモードからアクティブモードに自動的に移行するように構成されていることを特徴とする請求項１記載の一体型モニタおよびディスプレイユニット。
【請求項３】
前記非アクティブモードからアクティブモードへの移行が、前記一体型モニタおよびディスプレイユニットの作動を含むことを特徴とする請求項１記載の一体型モニタおよびディスプレイユニット。
【請求項４】
前記アクティブモードが流体サンプル分析モードを含むことを特徴とする請求項１記載の一体型モニタおよびディスプレイユニット。
【請求項５】
前記流体サンプル分析モードが、前記プロセッサが前記生体外分析物センサに関連する前記流体サンプルに基づく分析物レベルの決定に関連する１つ以上のルーチンを実行することを含むことを特徴とする請求項４記載の一体型モニタおよびディスプレイユニット。
【請求項６】
前記生体外分析物センサが前記分析物センサポート内の所定の位置で検出されたときに、前記非アクティブモードから前記アクティブモードに移行することを特徴とする請求項１記載の一体型モニタおよびディスプレイユニット。
【請求項７】
前記検出が物理的検出であることを特徴とする請求項１記載の一体型モニタおよびディスプレイユニット。
【請求項８】
前記検出が光学的検出であることを特徴とする請求項１記載の一体型モニタおよびディスプレイユニット。
【請求項９】
前記検出が電気的検出であることを特徴とする請求項１記載の一体型モニタおよびディスプレイユニット。
【請求項１０】
前記分析物センサポートが、前記生体外分析物センサを検出して前記一体型モニタおよびディスプレイユニットを前記非アクティブモードから前記アクティブモードに移行させるために、外生体外分析物センサと相互作用するように配置された少なくとも第１の構造を含むことを特徴とする請求項１記載の一体型モニタおよびディスプレイユニット。
【請求項１１】
前記構造が、前記生体外分析物センサと物理的に相互作用し、前記一体型モニタおよびディスプレイユニットを前記非アクティブモードからアクティブモードに移行させる信号を提供することを特徴とする請求項１０記載の一体型モニタおよびディスプレイユニット。
【請求項１２】
前記構造が、前記生体外分析物センサと電気的に相互作用し、前記一体型モニタおよびディスプレイユニットを前記非アクティブモードからアクティブモードに移行させる信号を提供することを特徴とする請求項１０記載の一体型モニタおよびディスプレイユニット。
【請求項１３】
前記構造が、前記生体外分析物センサと光学的に相互作用し、前記一体型モニタおよびディスプレイユニットを前記非アクティブモードからアクティブモードに移行させる信号を提供することを特徴とする請求項１０記載の一体型モニタおよびディスプレイユニット。
【請求項１４】
前記プロセッサが、前記経皮分析物センサからの分析物信号の変化速度が所定の許容範囲内にあるか否かを判定することによって前記データを検証することを特徴とする請求項１記載の一体型モニタおよびディスプレイユニット。
【請求項１５】
前記プロセッサが、前記経皮分析物センサからの分析物信号が所定の許容分析物信号範囲内にあるか否かを判定することによって前記データを検証することを特徴とする請求項１記載の一体型モニタおよびディスプレイユニット。
【請求項１６】
前記プロセッサが、前記皮下分析物センサからの前記分析物信号に関連するデータに基づいて治療行為を推奨するおよび／または実行する前に、該皮下分析物センサからの該分析物信号に関連するデータを検証するように構成されていることを特徴とする請求項１記載の一体型モニタおよびディスプレイユニット。
【請求項１７】
前記ＲＦレシーバが、前記トランスミッタにより送信されたデータを連続的に受信することを特徴とする請求項１記載の一体型モニタおよびディスプレイユニット。
【請求項１８】
前記分析物がグルコースであることを特徴とする請求項１記載の一体型モニタおよびディスプレイユニット。
【請求項１９】
前記分析物センサポート内に配置された前記生体外分析物センサをさらに備えることを特徴とする請求項１記載の一体型モニタおよびディスプレイユニット。
【請求項２０】
方法において、
その上に流体サンプルを有する生体外分析物検査片の存在を、該生体外分析物検査片を収容するように構成された検査片ポートに物理的に連結された一体型モニタを使用して、検出する工程、
前記生体外分析物検査片の存在の検出の際に前記一体型モニタの１つ以上のルーチンを検索する工程、
前記一体型モニタを使用して、検索された前記１つ以上のルーチンを実行する工程であって、該１つ以上のルーチンの内の少なくとも１つが、前記流体サンプルに基づいて前記生体外分析物検査片により生成される１つ以上の信号を処理することに関連するのもである工程、および
前記一体型モニタで、トランスミッタから複数の時間間隔の空いた信号を無線で受信する工程であって、受信された該複数の時間間隔の空いた信号の各々がモニタされた分析物レベルに対応するものである工程、
を有してなる方法であって、
前記検索された１つ以上のルーチンを実行する工程が、前記一体型モニタを使用して前記生体外分析物検査片の流体サンプルから分析物レベルを決定する工程、無線で受信された前記複数の時間間隔の空いた信号を較正する工程、前記一体型モニタの前記検査片ポート内で検出された前記生体外分析物検査片のタイプを判定する工程、モニタされた分析物レベルに対応する、前記受信された複数の時間間隔の空いた信号を表示する工程、前記流体サンプルに基づいて前記生体外分析物検査片により生成される前記１つ以上の信号を表示する工程、または較正された前記受信された複数の時間間隔の空いた信号を表示する工程、の内の１つ以上をさらに含むことを特徴とする方法。
【請求項２１】
前記１つ以上のルーチンを検索する工程が、前記一体型モニタを非アクティブ動作モードからアクティブ動作モードに移行させる工程を含むことを特徴とする請求項２０記載の方法。
【請求項２２】
前記検索された１つ以上のルーチンを実行する工程が、前記生体外分析物検査片の判定されたタイプが第１のタイプである場合、該生体外分析物検査片に関連する較正パラメータを提供するリクエストを生成する工程、または前記生体外分析物検査片の判定されたタイプが第２のタイプである場合、前記一体型モニタに連結された記憶ユニットから、該生体外分析物検査片に関連する較正パラメータを検索する工程を含むことを特徴とする請求項２０記載の方法。
【請求項２３】
リクエストされた前記較正パラメータが受信されたときに、前記第１のタイプの生体外分析物検査片により生成される前記１つ以上の信号に基づいて対応する分析物レベルを決定する工程、または検索された前記較正パラメータに基づいて、前記第２のタイプの生体外分析物検査片により生成される前記１つ以上の信号に基づいて対応する分析物レベルを決定する工程を含むことを特徴とする請求項２２記載の方法。
【請求項２４】
前記流体サンプルに基づいて前記生体外分析物検査片により生成される前記１つ以上の信号に基づいて、前記受信された時間間隔の空いた信号を較正する工程を含むことを特徴とする請求項２０記載の方法。
【請求項２５】
装置において、
筐体、
前記筐体に連結され、生体外分析物検査片を収容するように構成された検査片インターフェース、
前記筐体内に配置された１つ以上のプロセッサ、および
命令を記憶するための、前記筐体内に配置されたメモリであって、前記命令が、前記１つ以上のプロセッサにより実行されたときに、該１つ以上のプロセッサに、前記検査片インターフェースでその上に流体サンプルを有する前記生体外分析物検査片の存在を検出させ、前記生体外分析物検査片の存在を検出した際に前記メモリ内に記憶された１つ以上のルーチンを検索させ、その内の少なくとも１つが、前記流体サンプルに基づいて前記生体外分析物検査片により生成される１つ以上の信号の処理に関連している、検索された前記１つ以上のルーチンを実行させ、トランスミッタから、各々がモニタされた分析物レベルに対応する複数の時間間隔の空いた信号を無線で受信させるものである、メモリ、
を備えたことを特徴とする装置。
【請求項２６】
検索された前記１つ以上のルーチンを実行する命令が、前記一体型モニタを使用して前記生体外分析物検査片の前記流体サンプルから分析物レベルを決定する命令、受信された前記複数の時間間隔の空いた信号を較正する命令、前記一体型モニタの前記検査片ポート内で検出された前記生体外分析物検査片のタイプを判定する命令、モニタされた分析物レベルに対応する前記受信された複数の時間間隔の空いた信号を表示する命令、前記流体サンプルに基づいて前記生体外分析物検査片により生成された前記１つ以上の信号を表示する命令、較正された前記受信された複数の時間間隔の空いた信号を表示する命令、またはそれらの１つ以上の組合せをさらに含むことを特徴とする請求項２５記載の装置。
【請求項２７】
前記メモリが、前記１つ以上のプロセッサにより実行されたときに、該１つ以上のプロセッサに、非アクティブ動作モードからアクティブ動作モードに移行させる命令を含むことを特徴とする請求項２５記載の装置。
【請求項２８】
前記メモリが、前記１つ以上のプロセッサにより実行されたときに、該１つ以上のプロセッサに、検索された較正パラメータに基づいて自動的に、前記生体外分析物検査片により生成される前記１つ以上の信号を較正させる命令を含むことを特徴とする請求項２６記載の装置。
【請求項２９】
前記メモリが、前記１つ以上のプロセッサにより実行されたときに、該１つ以上のプロセッサに、前記検査片により生成された前記１つ以上の信号から決定された対応する分析物レベルに基づいて、前記受信された複数の時間間隔の空いた信号を較正させる命令を含むことを特徴とする請求項２６記載の装置。